(57)【要約】【課題】女性に需要の多いファッション用かつらにおいて、、時、場所、場面に応じて多様なヘアスタイルを極めて容易に演出でき、かつらの着脱も容易なかつらを実現する。【解決手段】第１かつらと第２かつらとからなり、第１かつらは、帽子状のベース本体と、ベース本体表面に植設される擬毛と、ベース本体裏面において頭部の前額部近傍に対応する部分に設けた第１自毛クリップと、前記ベース本体裏面において後頭部周りに対応する部分に設けた第２自毛クリップと、を具え、第２かつらは、ベース本体と、このベース本体表面に植設される擬毛と、前記ベース本体裏面の上端部に設けられて自毛を係止するとともに前記第１かつらの第２自毛クリップに着脱自在に装着する第３自毛クリップと、を具え、必要に応じて、第１かつら又は第２かつらのいずれか一方、あるいは第１かつらと第２かつらを連結した状態で装着できるようにした使用形態を自在に設定できるかつら。【選択図】　　図６
2004091972.tif 000002
【特許請求の範囲】
【請求項１】
頭部に被着する第１かつらと襟足部分を覆う第２かつらとからなり、
前記第１かつらは、帽子状のベース本体と、このベース本体表面に植設される擬毛と、前記ベース本体裏面において頭部の前額部近傍に対応する部分に設けた第１自毛クリップと、前記ベース本体裏面において後頭部周りに対応する部分に
設けた第２自毛クリップと、を具え、
前記第２かつらは、ベース本体と、このベース本体表面に植設される擬毛と、前記ベース本体裏面の上端部に設けられて自毛を係止するとともに前記第１かつらの第２自毛クリップに着脱自在に装着する第３自毛クリップと、を具え、
必要に応じて、第１かつら又は第２かつらのいずれか一方、あるいは第１かつらと第２かつらを連結した状態で装着できるようにした使用形態を自在に設定できるかつら。
【請求項２】
請求項１において、前記第１自毛クリップは、硬弾性材からなる枠状体と、この１辺に一体形成され弾性力により枠体の他辺に自毛を押圧保持する櫛歯とを有してなり、
前記第３自毛クリップは、硬弾性材からなる枠状体と、この１辺に一体形成され弾性力により枠体の他辺に自毛を押圧保持する櫛歯とを有してなり、
前記第２自毛クリップは、硬弾性材からなる枠状体と、この１辺に一体形成され弾性力により枠体の他辺に自毛を押圧保持する櫛歯と、この櫛歯表面に付設され前記第３自毛クリップの櫛歯を係止するバンド部とを有してなり、第１かつらの単独装着時には第１かつらの前記第１自毛クリップにより自毛に固着し、前記および第１かつらと第２かつらを連結状態で使用する場合には第１かつらの前記第１自毛クリップにより自毛に固着し、第２かつらの単独使用時には第２かつらの前記第３自毛クリップにより自毛に固着できるように構成したことを特徴とする使用形態を自在に設定できるかつら。
【請求項３】
請求項２において、鋼板による枠状体は、それぞれ一対の短辺および長辺からなり、櫛歯はいずれか一方の長辺に一体に植設され歯先には球状部が形成されてなり、バンド部は、枠状体を覆うように付設される基布と基布表面に取り付けられる櫛歯の係合帯により構成したことを特徴とする使用形態を自在に設定できるかつら。
【発明の詳細な説明】
【０００１】
【発明の属する技術分野】
本願発明は、頭部を被包する第１かつらと襟足部分に被冠してこれを装飾する第２かつらからなり、それぞれのかつらを単独で又は連結して使用することにより、髪型に多様な意匠性を自由に設定できるかつらに関するものである。
【０００２】
【従来の技術】
従来、かつらには、大きく分けて毛髪消失部に装着して頭髪部外観を是正するものと、毛髪の補足より髪型のファッション性を高めるためのものとがあり、いずれの場合にも頭部全体を被覆する全体かつらと一部に装着する部分かつらがあり、特にファッション性の見地から使用される部分かつらはヘアピースと呼ばれることがある。
【０００３】
【発明が解決しようとする課題】
主として、女性に需要の多いファッション用かつらは、時、場所、場面に応じて多様なヘアスタイルを演出しようとするものであるから、かつらの着脱が容易である、演出できるヘアスタイルが多様である等の条件が必要である。従来、数多くののファッション用かつらが市場に投入されているが、上記条件を適えるに好適なものは見当たらない。例えば、ロングヘアを望む場合は、所定スタイルに形成されたロングヘアのかつらを装着し、またショートヘアのある種のスタイルを望む場合はそのように設定されたかつらを使用すると言うように予め数種類のかつらを用意しておく必要があり費用も嵩むばかりかそれ相応の収納場所の準備も必要であった。
【０００４】
【課題を解決するための手段】
本願発明は、主としてファッション上の見地から使用されるかつらを、頭部に被着する第１かつらと襟足部分を覆う第２かつらとからなり、前記第１かつらは、帽子状のベース本体と、このベース本体表面に植設される擬毛と、前記ベース本体裏面において頭部の前額部近傍に対応する部分に設けた第１自毛クリップと、前記ベース本体裏面において後頭部周りに対応する部分に設けた第２自毛クリップと、を具え、　前記第２かつらは、ベース本体と、このベース本体表面に植設される擬毛と、前記ベース本体裏面の上端部に設けられて自毛を係止するとともに前記第１かつらの第２自毛クリップに着脱自在に装着する第３自毛クリップと、を具え、　必要に応じて、第１かつら又は第２かつらのいずれか一方、あるいは第１かつらと第２かつらを連結した状態で装着できるように構成して、上記従来の課題を解決しようとするものである。
【０００５】
上記構成において、前記第１自毛クリップは、硬弾性材からなる枠状体と、この１辺に一体形成され弾性力により枠体の他辺に自毛を押圧保持する櫛歯とを有してなり、前記第３自毛クリップは、硬弾性材からなる枠状体と、この１辺に一体形成され弾性力により枠体の他辺に自毛を押圧保持する櫛歯とを有してなり、前記第２自毛クリップは、硬弾性材からなる枠状体と、この１辺に一体形成され弾性力により枠体の他辺に自毛を押圧保持する櫛歯と、この櫛歯表面に付設され前記第３自毛クリップの櫛歯を係止するバンド部とを有してなり、第１かつらの単独装着時には第１かつらの前記第１自毛クリップにより自毛に固着し、前記および第１かつらと第２かつらを連結状態で使用する場合には第１かつらの前記第１自毛クリップにより自毛に固着し、第２かつらの単独使用時には第２かつらの前記第３自毛クリップにより自毛に固着できるように構成することがある。
【０００６】
さらに、上記個性において、鋼板による枠状体は、それぞれ一対の短辺および長辺からなり、櫛歯はいずれか一方の長辺に一体に植設され歯先には球状部が形成されてなり、バンド部は、枠状体を覆うように付設される基布と基布表面に取り付けられる櫛歯の係合帯により構成することがある。
【０００７】
【発明の実施形態】
以下、本願発明の実施形態を説明する。
図１は、本願発明の１実施形態に係る第１かつらの裏面図である。
第１かつら１は、頭部に被る帽子状のベース本体２と、このベース本体表面２に植設される擬毛３と、前記ベース本体２裏面において頭部の前額部近傍に対応する部分に設けた左右一対の第１自毛クリップ４と、前記ベース本体２裏面において後頭部周りに対応する部分に設けた３個の第２自毛クリップ５とを具えている。
【０００８】
前記帽子状のベース本体２は、編物布で形成され、人毛、人工毛などから構成される擬毛３は、所定スタイルのショートヘアにデザインされている。この第１かつら１の装着は、帽子状のベース本体２を自毛の上から頭部に被り、前記一対の第１自毛クリップ４により自毛を挟圧することによりなすようになっている。自毛に係止することにより第１かつらは安定的に頭部に保持される。　なお、第１自毛クリップ４、第２自毛クリップ５については、後述する。
【０００９】
図２は、該実施形態に係る第２かつらの裏面図である。
第２かつら２１は、ベース本体２２と、このベース本体２２表面に植設される擬毛３と、前記ベース本体２２裏面の上端部に設けられて自毛を係止するとともに前記第１かつら１の第２自毛クリップ５に着脱自在に装着する第３自毛クリップ２４と、を具えている。
【００１０】
前記ベース本体２２は、編物布で形成され、人毛、人工毛などから構成される擬毛３は、装着時に襟足部分を覆って全体としてロングまたはセミロングのヘアスチルが演出できるようにデザインされている。この第２かつら２１の装着法は、単独で使用するか前記第１かつら１と連結して使用するかにより異なる。
すなわち、単独装着の場合は、後頭部の適宜位置で毛髪上にベース本体２２をセットし、第３自毛クリップ２４により自己の毛髪を挟圧してかつらを固定保持するようにする。
また、この第２かつら２１を第１かつら１に連結して使用する場合は、第３自毛クリップ２４と第１かつら１の前記第２自毛クリップ５とを嵌合してロングヘアタイプの状態になし、次いで、第１かつら１における前記一対の第１自毛クリップ４により自己の毛髪を挟圧することにより装着することになる。第３自毛クリップ２４については後述する。
【００１１】
図３は、前記第１自毛クリップ４ならびに前記第３自毛クリップ２４の説明図である。　両自毛クリップは、図３（ａ）に示す平面図のように、鋼板等の硬弾性材からなりそれぞれ一対の長辺と短辺を有する枠状体３１と、この枠状体３１の一方の長辺に一体に形成され弾性力により枠状体３１の他辺に自毛を押圧保持する櫛歯３２とを有しており、両自毛クリップ４ならびに２４は同一の構成となっている。なお、櫛歯３２の先端には球状部３２ａが形成されている。
【００１２】
図３（ｂ）は、前記両自毛クリップの正面図であり、図示のように枠状体３１は、一方に（図示では上方に）湾曲形成され、櫛歯３２はその先端にいくにつれ枠状体３１から離開するように設けられている。　そして、図３（ｃ）に示すように、枠状体３１の湾曲面を反転させると櫛歯３２は枠状体３１に（正確には、櫛歯３２が形成されている長辺とは反対側の長辺に）密接閉止されるようになり、こえにより例えば自毛等を挟圧保持することになる。
【００１３】
また、前記第２自毛クリップ５は、その基本的構成を前期両クリップ４と２４と全く同一としているが、櫛歯表面に付設され前記第３自毛クリップ２４の櫛歯３２を係止するバンド部５１を有している点で、若干異なる構成を有している。
すなわち、図４（ａ）に示すように、第２自毛クリップ５のバンド部５１は、枠状体を覆うように付設される基布５２と基布５２表面に取り付けられる係合帯５３により構成されている。
【００１４】
次に、この実施形態に係るかつらの使用方法を説明する。本願発明に係るかつらは、次の３種の使用形態が可能である。
（１）第１かつら１のみを使用する。
（２）第１かつらと第２かつらを一体に連結して使用する。
（３）第２かつらを単独で使用する。
図５は、第１かつら１のみのを使用状態を示す斜視図である。これは、自己の頭髪上に第１かつら１を被着している場合である。第１かつら１の第１自毛クリップ４は前述のように前額部の自毛を挟圧保持している。図５に示すヘアスタイルはショートスタイル、すなわち自己の頭髪は第１かつら１に被覆されてる状態となっているが、自己の頭髪がロングスタイルの場合でも、その上に第１かつらを１を装着して頭部のヘアスタイルを常態と変化させることができる。
【００１５】
図６は、第１かつら１と第２かつら２とを一体に連結しての使用状態を示す斜視図である。両かつらの連結は、図４に示すように、第１かつら１の第２自毛クリップ５に第２かつら２の第３自毛クリップ２４を嵌合してなされる。
すなわち、図４（ａ）に示すように、第１かつら１の第２自毛クリップ５のバンド部５１に第２かつら２１の第３自毛クリップ２４の櫛歯３２をはめ込む。
具体的には、櫛歯３２を基布５２の係合帯５３に挿入したうえ、枠状体３１の湾曲を反転させると、前記図３において説明したように櫛歯３２は係合帯５３を枠状体３１に押圧保持する。このようにして、第２自毛クリップ５と第３自毛クリップ２４とは簡単に結合できる。両者の解除は逆の手順による。
【００１６】
図７は、第２かつら２の単独での使用状態を示す斜視図である。図示のように、第２かつら２は自己の頭髪Ｊの下部に襟足を覆うように装着されている。
自己の頭髪Ｊと第２かつら２との連結は第３自毛クリップ２４により前述したように自毛を挟圧保持するようにしてなされる。
なお、上記
する
なり、第１かつらの単独装着時には第１かつらの前記第１自毛クリップにより自毛に固着し、前記および第１かつらと第２かつらを連結状態で使用する場合には第１かつらの前記第１自毛クリップにより自毛に固着し、第２かつらの単独使用時には第２かつらの前記第３自毛クリップにより自毛に固着できるように構成することがある。
【００１７】
【発明の効果】
本願発明は、以上説明したように、かつらを頭部を覆う第１かつらと襟足を覆う第２のかつらで構成し、第１かつらあるいは第２かつらの頭髪への取り付けを簡単な操作で済むクリップでなすように、また前記両かつらを連結して使用する場合には一方かつらのクリップを他方のかつらのクリップに嵌合するだけで容易になし得、またクリップと自毛、クリップ相互の結合お解除も極く簡単にできるから、時、場所、機会に応じ所望のヘアスタイルを自由に設定できる。
【図面の簡単な説明】
【図１】本願発明の１実施形態に係る第１かつらの裏面図である。
【図２】本願発明の１実施形態に係る第２かつらの裏面図である。
【図３】本願発明の１実施形態に係る自毛クリップの説明図である。
【図４】第１かつらの第２自毛クリップと第２かつらの第３自毛クリップの嵌合状況を示す斜視図である。
【図５】第１かつら１のみのを使用状態を示す斜視図である。
【図６】第２かつら２の単独での使用状態を示す斜視図である。
【図７】第２かつら２の単独での使用状態を示す斜視図である。
【符号の説明】
１．．．．．．．．．第１かつら
２１．．．．．．．第２かつら
４．．．．．．．．第１自毛クリップ
５．．．．．．．．第２自毛クリップ
２４．．．．．　第３自毛クリップ
３１．．．．．．枠状体
３２．．．．．．．．櫛歯
【図１】
2004091972.tif 000003
【図２】
2004091972.tif 000004
【図３】
2004091972.tif 000005
【図４】
2004091972.tif 000006
【図５】
2004091972.tif 000007
【図６】
2004091972.tif 000008
【図７】
2004091972.tif 000009